(57)【要約】【課題】装着中ずれたり、離脱しないつけまつ毛を迅速効率的に製造することができること。【解決手段】実質二次元形状に形成され裏面に粘着層７が形成された極薄のベース１を供給する工程と、上記ベース１の表面に接着層４を形成する工程と、ヘア材３の基端部３ｂが連設されたヘア材ユニット３Ａを把持した状態で基端部３ｂの直下を非接触の加熱切断手段例えばレーザ光により切断する工程と、この切断されたヘア材３の把持を継続した状態で上記接着層４に貼着する工程とからなる。ヘア材３を非接触の加熱切断手段により切断するから、ヘア材３が直線状にカットされ、かつヘア材３の根元部５が球状に形成される。これによりカールした毛先の方向性が整列された状態のままベース１の接着層４に強固に貼着することができる。よってヘア材３が整然と整列された状態のままのつけまつ毛を迅速効率的に製造することができる。【選択図】図４
2011063910.tif 000002
【特許請求の範囲】
【請求項１】
実質二次元形状に形成され裏面に粘着層が形成された極薄のベースを供給する工程と、上記ベースの表面に接着層を形成する工程と、ヘア材の基端部が連設されたヘア材ユニットを把持した状態で基端部の直下を非接触の加熱切断手段により切断する工程と、この切断されたヘア材の把持を継続した状態で上記接着層に貼着する工程とからなることを特徴とするつけまつ毛の製造方法。
【請求項２】
上記非接触の加熱切断手段がレーザ光であることを特徴とする請求項１記載のつけまつ毛の製造方法。
【請求項３】
上記ベースに接着層を形成する接着剤を直線状に供給することを特徴とする請求項１又は請求項２記載のつけまつ毛の製造方法。
【請求項４】
上記ベースが固定されることを特徴とする請求項３記載のつけまつ毛の製造方法。
【請求項５】
上記ベースが移動され、その供給移動時に上記接着剤が供給されることを特徴とする請求項３記載のつけまつ毛の製造方法。
【発明の詳細な説明】
【技術分野】
【０００１】
本願発明はつけまつ毛の製造方法に関する。
【背景技術】
【０００２】
従来のつけまつ毛１０３は、図８に示すように、幅員０．５ｍｍ位の極細線状ベース１０１に人工まつ毛が植え付けられ、まつ毛１２２の直上の瞼に接着剤により貼着していた。また図９に示すように、脱落したまつ毛１２２の部分その他の補強箇所に通常１乃至数箇所のレベルでピンセット等を用いて点状に貼着するタイプのものがあった。
【先行技術文献】
【特許文献】
【０００３】
【特許文献１】実開昭４９−４４４９３
【特許文献２】特開２００８−２３１６３２
【発明の概要】
【発明が解決しようとする課題】
【０００４】
従来は貼着に当たり接着剤を用いるため、一歩間違えば目を損傷することにもなりかねないリスクがあった。よって、貼着作業は慎重に行われるが、なかなか上手くいかず時間がかかっていた。時には上手く貼着できない状態で使用する結果にもなりかねなかった。
【０００５】
これは次の理由による。図１０に示すように、従来のつけまつ毛は線状であるため、貼着の際つけまつ毛が種々に変形するがその変形が垂直方向にも水平方向にもなり、３６０度あらゆる方向に変形する。つけまつ毛の貼着は上瞼の下端という唯でさえ貼着が困難な部位に、変形自在の線状つけまつ毛を貼着するというのは位置合わせが非常に困難であり、高度の習熟を要するからである。
【０００６】
また上手く貼着できた場合でも、貼着面積が線状又は点状と非常に小であるため、装着中瞼の上下動によりずれてくることがあり甚だ不体裁であった。
【０００７】
従来のつけまつ毛はベース１０１が線状又は点状であって接着面積が小であるため、使用時間が短く、洗顔により脱落したりずれたりすることがあった。
【０００８】
さらに、溶剤を含有する接着剤を用いるため、装着後溶剤の揮発により一定時間目を開けることができなかった。
【０００９】
さらにまた、まぶたへの装着時又は装着中にワイヤのとくに両端部がまぶたに当たり、装着者に苦痛を与えていた。また線状物の装着となるため装着の持続時間が長くても６時間程度と短く、洗顔や涙により容易に離脱し易いという欠点があった。
【００１０】
そこで、本出願人は特許文献２を提案したのであるが、これによっても、未だ次の難があった。
【００１１】
即ち、特許文献２によるつけまつ毛は、かつら用に開発されたもの、即ち、ヘア材が植え付けられて裏面に凹凸が現出され、頭部に装着されたとき裏面の凹凸が反転するベースを転用しているため、かつらのように広い面積では期待できるベース裏面の凹凸の反転がまぶたへの装着に当たっては実際的ではなかった。この理由はまぶたは人体の皮膚の中でも最も薄い部位に属し通常１０〜２０μ程度であり、頭部装着と同じように大なる圧力をかけることが適当でないからである。
【００１２】
このため、ベース裏面の凸部に付いている粘着層のみがまぶたに装着し、凹部に付いている粘着層はまぶたに装着することが非常に困難であった。
【００１３】
この結果、凹部とまぶたとの間にギャップが生じ、装着力が低下するとともに、装着の持続時間も低下し、洗顔や涙により水分が凹部に浸入し容易に離脱し易いおそれがあった。
【００１４】
本願発明の目的は上記欠点を解消すること、具体的には、装着中ずれたり、離脱しないつけまつ毛を迅速効率的に製造することができる製造方法を供することである。その他の目的は以下の説明より明らかにする。
【課題を解決するための手段】
【００１５】
上記目的達成のため、本願発明によるつけまつ毛の製造方法は、実質二次元形状に形成され裏面に粘着層が形成された極薄のベースを供給する工程と、上記ベースの表面に接着層を形成する工程と、ヘア材の基端部が連設されたヘア材ユニットを把持した状態で基端部の直下を非接触の加熱切断手段により切断する工程と、この切断されたヘア材の把持を継続した状態で上記接着層に貼着する工程とからなることを特徴とする。
また請求項１記載のつけまつ毛の製造方法は、上記非接触の加熱切断手段がレーザ光であることを特徴とする。
また請求項１又は請求項２記載のつけまつ毛の製造方法は、上記ベースに接着層を形成する接着剤を直線状に供給することを特徴とする。
また請求項３記載のつけまつ毛の製造方法は、上記ベースが固定されることを特徴とする。
また請求項３記載のつけまつ毛の製造方法は、上記ベースが移動され、その供給移動時に上記接着剤が供給されることを特徴とする。
【発明の効果】
【００１６】
本願発明によるつけまつ毛の製造方法は、ヘア材を非接触の加熱切断手段により切断するから、ヘア材が直線状にカットされ、かつヘア材の根元部が球状に形成される。これによりカールした毛先の方向性が整列された状態のままベースの接着層に強固に貼着することができる。よってヘア材が整然と整列された状態のままのつけまつ毛を迅速効率的に製造することができる。
本願発明の製造方法によるつけまつ毛は貼着面が面状に幅広に構成され、この幅広の貼着面が上瞼に貼着される。よってつけまつ毛の装着に当たり、上瞼下縁への基端部の位置合わせは手にするベースの面が幅広の取扱い易い面であることと相まって非常に容易となり、装着作業の手間と時間を大幅に節約することができる。また貼着面が面状であり上瞼に貼着される面積が広いので、装着中つけまつ毛がずれたり離脱するおそれがない。
【図面の簡単な説明】
【００１７】
【図１】（Ａ）は本願発明によるつけまつ毛の実施の形態を示す正面図、（Ｂ）は（Ａ）の平面図、（Ｃ）は（Ａ）の左側面図、（Ｄ）は（Ａ）の背面図、（Ｅ）は（Ａ）の斜面図である。
【図２】（Ａ）は図１（Ｃ）のＩＩ部拡大図、（Ｂ）は同他の実施例の拡大図である。
【図３】図１（Ｄ）のＩＩＩ部拡大図である。
【図４】本願発明によるつけまつ毛の製造方法の実施の形態を示し、（Ａ）は第１工程、（Ｂ）は第２工程、（Ｃ）は第３工程、（Ｄ）は第４工程及び第５工程を示す。
【図５】（Ａ）は本願発明によるつけまつ毛に付属するカットライン用紙の実施例を示す正面図、（Ｂ）は同他の実施例を示す正面図、（Ｃ）は同さらに他の実施例を示す正面図である。
【図６】（Ａ）は本願発明によるつけまつ毛の装着状態を示す概略正面図、（Ｂ）は（Ａ）の右側面図である。
【図７】本願発明によるつけまつ毛の装着状態を説明する図である。
【図８】（Ａ）は従来のつけまつ毛の一例を示す正面図、（Ｂ）は（Ａ）のつけまつ毛の装着状態を示す概略正面図である。
【図９】従来のつけまつ毛の他の例を示す正面図、（Ｂ）は（Ａ）のつけまつ毛の装着状態を示す概略正面図である。
【図１０】従来のつけまつ毛の装着状態を説明する図である。
【発明を実施するための形態】
【００１８】
次に、実施の形態を示す図面に基づき本願発明によるつけまつ毛の製造方法をさらに詳しく説明する。なお、便宜上同一の機能を奏する部分には同一の符号を付してその説明を省略する。
【００１９】
図１乃至図５において、１は本願発明によるつけまつ毛のベース、１ａは切り離し後のベースであり、いずれも人皮程度の極薄のシート（例えば厚さ２０μ）からなる。以下「ベース１」というときはとくにことわりがない場合の外は、切り離し後のベース１ａも含むものとする。該ベース１は伸縮性のある無色透明の素材、例えばポリウレタン製であり、実質平面状に形成される。３は該ベース１に個々に分離状態にて貼着されたヘア材であり、例えばポリエステル繊維からなる。
【００２０】
上記ヘア材３は先端部６が上方に向かってカールして形成される。３ｂ（図４（Ｃ）に示す）はヘア材３の基端部である。４はＵＶ硬化剤からなる接着層であり（図４（Ｂ）に示す）、上記ベース１上に直線状に形成される。
【００２１】
上記ヘア材３の根元部５は球状に形成され、上記接着層４に貼着される。この貼着は、図２（Ａ）に示すように上記根元部５が上記接着層４の下端部４ａに位置するようにする。その理由は後述する。
【００２２】
７は粘着層であり、上記ベース１の裏面全面に均等な厚さで形成される。上記粘着層７は例えばアクリル系粘着剤からなり、転写法により形成する。即ち、両面に剥離紙（ＰＥＴ）を設けたアクリル系粘着剤の一の面の剥離紙を剥してその面をベース１の裏面全面に固着し、使用時に他の面の剥離紙９を剥して上瞼２０（図６に示す）の適用部位に貼付する。
【００２３】
図５はつけまつ毛のサイズパターンスケール１１を示す。図５（Ａ）は目の大きさが大きいサイズ用、同（Ｂ）は同普通サイズ用、同（Ｃ）は部分的に装着する場合に使用されるスケールを示し、各図とも１１Ａは左目用、１１Ｂは右目用を表わす。各パターンとも基端部３ｂに沿ってカットされるカットライン１１ｄを直線状に形成するとともに、先端部のカットライン１１ａ、１１ｂ、１１ｃを眼球２１の上方曲線２１ａ（図６に示す）に合わせるようパターン化された突弧状の曲線に形成されている。２２は人体のまつ毛である（図６（Ａ）、同（Ｂ）に示す）。図１（Ａ）に上記サイズパターンスケール１１に沿って切離されるベース１を「１ａ」として示す。２は切離されたベース１ａの貼着面である。なお、図１は模式図であり、図１（Ａ）乃至図１（Ｅ）に示すヘア材３の植え付け本数は簡略化して示してある。
【００２４】
図５（Ａ）、同（Ｂ）において、「１１ａ」は最大５ｍｍに形成された二重又は奥二重を形成するためのカットラインを、「１１ｂ」は最大４ｍｍ〜３ｍｍに形成された奥二重又は一重を形成するためのカットラインを、「１１ｃ」は最大２ｍｍに形成された二重又は一重を形成するためのカットラインを各示す。図５（Ａ）のカットライン１１ｄの長さは３０ｍｍ、図５（Ｂ）のカットライン１１ｄの長さは２３ｍｍとしてあるが、目の大きさに合わせて適宜にカットすることができる。図５（Ｃ）において、「１１ａ」は最大５ｍｍに形成された二重又は二重以上を形成するためのカットラインを、「１１ｂ」は最大４ｍｍ〜３ｍｍに形成された二重又は奥二重を形成するためのカットラインを各示す。上記カットライン１１ｄの長さは１５ｍｍとしてあるが、装着したい部分の大きさに合わせて適宜にカットすることができる。
【００２５】
ここで、各部のサイズを説明すると、使用前のベース１の縦サイズは、業務用サイズａが２０ｍｍ位〜３０ｍｍ位、基端部３ｂ付近まで切断される個人用サイズｂが１０ｍｍ位〜１５ｍｍ位であり、横サイズｃは共に１０ｍｍ位〜４０ｍｍ位に形成される。ヘア材３の長さｄは２ｍｍ位〜１２ｍｍ位に形成される。各ヘア材３はヘア材ユニット３Ａ（図４（Ｃ）に示す）の段階からすべて上方にカールしており、中央付近の数本が他の部分のものより長く形成されている。ヘア材３を貼着される幅ｅは１０ｍｍ位〜３０ｍｍである。
【００２６】
<製造工程>
本願発明によるつけまつ毛は次の工程により製造される。
【００２７】
第１工程（ベース供給工程）
作業台１２の作業位置Ｔの上にリール１３に巻かれた長尺状のベース母材１Ｍから１区画分のベース１が供給される（図４（Ａ））。上記ベース母材１Ｍの裏面には人体に装着させるための医療用接着剤が粘着層７として形成され、その裏には剥離紙９が貼られている。
【００２８】
第２工程（接着剤供給工程）
上記１区画分のベース１の適宜位置（中央部）に接着層４となる接着剤が供給される（図４（Ｂ））。上記接着剤の供給は、作業台上に固定されたベース１上に、図示しない供給パイプを水平に移動することにより直線状になされる。
【００２９】
第３工程（ヘア材のカット工程）
ヘア材３の基端部３ｂが連設されたヘア材ユニット３Ａを開閉自在の一対のロボット軸１５で把持し、この状態で基端部３ｂと該ロボット軸１５の間を図示しないレーザ光によりカットする（図４（Ｃ））。カットラインＬを図４（Ｃ）に一点鎖線で示す。
【００３０】
第４工程（ヘア材の貼着工程）
上記カットが終了しても上記ロボット軸１５によるヘア材の把持は継続し、この把持した状態で前記工程で付与された接着剤（これが「粘着層７」を形成する）にカットされたヘア材を上記ロボット軸１５を下降せしめて貼着する（図４（Ｄ））。上記ヘア材３の貼着は、上記ロボット軸１５を適宜に位置調節することにより、図２に示すように粘着層７の下端部に行なう。
【００３１】
第５工程（製品化工程）
かくしてベース１にヘア材が貼着されると、図４（Ｄ）に一点斜線Ｍで示す１区画分のベース１が図示しないカッタにて切断され、製品となる。
【００３２】
次いで、次の１区画分のベース１が作業位置Ｔ上に供給され、上記した作業を行う。このような作業が連続的に繰り返される。
【００３３】
<使用方法>
次に本願発明によるつけまつ毛の使用方法について説明する。まず、図５に示した所望のサイズパターンスケール１１の上にベース１をヘア材３を上にした状態で載置する。次いで、ユーザにより上記ベース１に上記サイズパターンスケール１１に示されたカットラインを描き写す。次いでユーザにより該カットラインに沿って上記ベース１をカットする。次いで、剥離紙９を剥がし、貼着面２をまぶたに貼着する。
【００３４】
<レーザ光による切断効果>
本実施の形態においては、ヘア材３がヘア材ユニット３Ａからレーザ光により切断されて取り出されるため次の効果がある。
【００３５】
ア.非接触切断
レーザ光による切断は非接触であるため、ヘア材３が切断時にばらけ、その方向性が区々となることがない。またヘア材ユニット３Ａをロボット軸１５により把持した状態でレーザ光により切断するので、カールした毛先の方向性を当初の上方にカールした状態のまま連設部のみ切断し、各ヘア材３を分離状態にすることができる。よってヘア材３の整列性を保持した状態で迅速効率的に切断することができる。
【００３６】
イ.加熱切断
レーザ光による切断は切断時に熱が発生するため、切断された各ヘア材３の根元部５が熱で溶けて球状になる。このため、この球状の根元部５をいわば「糊代」とすることができ、ベース１に接着するための「糊代」をつくる工程を別に設ける必要がない。
【００３７】
ヘア材３の根元部５が球状に形成されるため、根元部５の球面のどの部分でも接着層４に貼着することができるところ、各ヘア材３はロボット軸１５により把持した状態で、かつカールした毛先の方向性が整列された状態のまま接着層４に強固に貼着することができるから、各ヘア材３は点状接着でありながら、毛先の方向性が区々とならず、所定の方向即ち上方にカールした状態のままベース１の表面に固定することができる。よって装着中水分等の浸入を防止するので、つけまつ毛のずれや離脱を防止する。
【００３８】
ウ.まぶたの拡開効果、自毛と渾然一体となる効果
各ヘア材３は上方にカールした状態を維持したまま分離状態でベース１に貼着されているが、まぶたに装着されると、後述のように上瞼２０が突弧状に開となるため、貼着された各ヘア材３の根元部５も上瞼２０に沿って突弧状となる。この結果併行に貼着されていた各ヘア材３に放射状の角度がつき、各ヘア材３間に形成されている隙間がより拡開される。
【００３９】
各ヘア材３のラインは図６に示すように自毛まつげ２２の直上に貼着されるから、自毛まつげ２２がこの拡開された隙間から顔を出し各ヘア材３のラインと同一ライン上になる。よって装着されたつけまつ毛が自毛と渾然一体となる効果がある。
【００４０】
エ．ヘア材３の根元部が球状に形成される効果
ヘア材３の根元部５が球状に形成されるため、根元部５の球面のどの部分でも接着層４に貼着することができる。よってヘア材３の貼着角度を調節することができるので、用途によって製品を群別でき、製品の拡張を図ることができる。例えば、接着層４に対しヘア材３を直交状に貼着すればまつ毛が大きく見えるので若者向けとなり、接着層４に対しヘア材３を傾斜して貼着すればまつ毛の量が多く見えるので年配者向けとなる。
【００４１】
また根元部５の球面のどの部分でも接着層４に貼着することができるので、迅速効率的な製造を可能とする。
【００４２】
<他の効果>
本実施の形態においては、さらに次のような効果がある。
【００４３】
本願発明によるつけまつ毛は貼着面２が面状に幅広に構成され、この幅広の貼着面２が上瞼２０に貼着される。この貼着に当たり、ベース１は面状であって基端部１ｃが実質上直線状にかつ先端部１ｄが突弧状に形成されているから、ベース１の変形は、従来３６０°のあらゆる方向に変形しているのに対し、一方向のみ（上下方向）であり、それ以外の変形は実質上無視することができる。
【００４４】
よってつけまつ毛の装着に当たり、上瞼２０下縁へのヘア材基端部３ｂの位置合わせは手にするベース１の面が幅広の取扱い易い面であることと相まって非常に容易となり、装着作業の手間と時間を大幅に節約することができる。また貼着面２が面状であり上瞼２０に貼着される面積が広いので、装着中つけまつ毛がずれたり離脱するおそれがない。
【００４５】
ここで上瞼２０への装着良好性及び装着容易性を前記したレーザ光による切断効果との関係でさらに詳しく述べる。まず、ヘア材３は把持された状態においてレーザ光により直線状に切断されるから、ヘア材３の根元部５が球状に形成され、根元部５の球面のどの部分でも接着層４に貼着することができる。よってカールした毛先の方向性が整列された状態のまま容易に上瞼２０に貼付することができるのである。
【００４６】
また、ベース１は上瞼２０下縁の自毛に沿って貼着されるところ、ヘア材３の根元部５が接着層４の下端部に貼着されるため、貼着されたヘア材３に沿ってベース１をぎりぎりにカットすることができる。このため、自毛のまつ毛２２とヘア材３とが図６（Ａ）及び同（Ｂ）に示すように略同一線上に重なるから自毛と区別することができず、このため見栄えが非常に良好となる。加えて接着層４の残部が視界に入ってこないので、視界が良好となる。つまり、ヘア材３の根元部５が接着層４の中央部に貼着されると、自毛２２とヘア材３とが上下に二重になって甚だ不体裁となるだけでなく、接着層４の残部が視界に入ってくるので視界に霧がかかったようになって悪化するのであるが、これが防止される。
【００４７】
さらに、ベース１は平面形状に形成され、二次元的にも三次元的にも特定のユーザ用に加工されていない。しかも貼着されたベース１の上部スペース１ｂ（図１（Ａ）に示す）はフリーカットできるような十分な面積を有しているため、ベース１の先端部１ｄを突弧状にカットして使用することができる。これにより、上瞼２０の皮膚を上方に引き上げる効果がある。
【００４８】
上瞼２０の皮膚は経時的に劣化し段々とたるんでくるが、この引き上げ効果により上瞼２０の皮膚のたるみ程度に応じてカット面積を調節し、上瞼２０を上方に引き上げ、これにより、目元を一層ぱっちりとすることができ、アンチ・エージング効果が生ずる。
【００４９】
さらにまた、ヘア材３が直線状に形成されるため、ベース１が上瞼２０に貼着されると根元部５が突弧状の上瞼２０に沿って突弧状になるため、個々分離状態で貼着されている各ヘア材３が放射状に拡開される。このためまつ毛（実は「つけまつ毛」）のラインが濃く見え、目元がぱっちり大きく見えるのである。
【００５０】
本願発明によるつけまつ毛の製造方法は上記した実施の形態に限定されない。例えば、各ヘア材３の根元部５の貼着角度は図２（Ａ）のような直交状ではなく、図２（Ｂ）に示すように下向きの傾斜状にすることもできる。この場合傾斜角度は例えば４５°が考えられるが、ユーザの目的、年齢等により適宜に選択される。
【００５１】
非接触の加熱切断手段として、他に超音波のような高周波を用いることが考えられる。
【００５２】
接着層４を構成する接着剤は瞬間的に強固に接着する接着剤であればよく、例えばシアノアクリレートを主成分とする瞬間接着剤を用いることもできる。
【００５３】
ベース１、ヘア材３等の各部のサイズについて本文中で述べた数値は一例として理解すべきである。
【００５４】
ベース１への接着剤の供給に関し、上記実施の形態で述べたようにベース１は移動させずに接着剤を供給する場合、ベース１は作業台１２の上に区画分毎に切断して多数置いておき、接着剤を供給してもよいし、長尺状のベース１のまま作業台１２の上に置いておき接着剤の供給後に区画分毎に切断してもよい。
【００５５】
しかし、上記とは反対に、ベース１を移動させて、その移動時に接着剤を供給することが考えられる。この場合は、接着剤はベース１が一方向に供給されるとき供給パイプがベース１上に動作し、ベース１の移動時に所定時間ＯＮとなってベース１上に接着剤を直線状に供給する。
【００５６】
各ヘア材３の連接部の切断は接着層４の付与前又は接着剤供給と同時にしてもよい。
【００５７】
サイズパターンスケール１１のカットライン１１ｄの長さは他のサイズにすることもできる。
【産業上の利用可能性】
【００５８】
本願発明はつけまつ毛として活用することができる。
【符号の説明】
【００５９】
１      ベース
１ａ    ベース
１ｂ    上部スペース
１ｃ    基端部
１ｄ    先端部
１Ｍ    ベース母材
２      貼着面
３      ヘア材
３Ａ    ヘア材ユニット
３ｂ    基端部
４      接着層
５      根元部
６      先端部
７      粘着層
９      剥離紙
１１    サイズパターンスケール
１２    作業台
１３    リール
１５    ロボット軸
２０    上瞼
２１    目
２１ａ  上方曲線
２２    まつ毛  
Ｌ      カットライン
Ｍ      カットライン
Ｔ      作業位置
【図１】
2011063910.tif 000003
【図２】
2011063910.tif 000004
【図３】
2011063910.tif 000005
【図４】
2011063910.tif 000006
【図５】
2011063910.tif 000007
【図６】
2011063910.tif 000008
【図７】
2011063910.tif 000009
【図８】
2011063910.tif 000010
【図９】
2011063910.tif 000011
【図１０】
2011063910.tif 000012
【手続補正書】
【提出日】平成22年3月25日(2010.3.25)
【手続補正２】
【補正対象書類名】明細書
【補正対象項目名】００５８
【補正方法】変更
【補正の内容】
【００５８】
本願発明はつけまつ毛の製造に活用することができる。
【手続補正書】
【提出日】平成22年5月14日(2010.5.14)
【手続補正１】
【補正対象書類名】明細書
【補正対象項目名】００３０
【補正方法】変更
【補正の内容】
【００３０】
第４工程（ヘア材の貼着工程）
上記カットが終了しても上記ロボット軸１５によるヘア材の把持は継続し、この把持した状態で前記工程で付与された接着剤（これが「接着層４」を形成する）にカットされたヘア材を上記ロボット軸１５を下降せしめて貼着する（図４（Ｄ））。上記ヘア材３の貼着は、上記ロボット軸１５を適宜に位置調節することにより、図２に示すように接着層４の下端部に行なう。
【手続補正書】
【提出日】平成22年8月30日(2010.8.30)
【手続補正１】
【補正対象書類名】明細書
【補正対象項目名】０００９
【補正方法】変更
【補正の内容】
【０００９】
さらにまた、まぶたへの装着時又は装着中に線状のベースのとくに両端部がまぶたに当たり、装着者に苦痛を与えていた。また線状物の装着となるため装着の持続時間が長くても６時間程度と短く、洗顔や涙により容易に離脱し易いという欠点があった。
【手続補正２】
【補正対象書類名】明細書
【補正対象項目名】００３１
【補正方法】変更
【補正の内容】
【００３１】
第５工程（製品化工程）
かくしてベース１にヘア材が貼着されると、図４（Ｄ）に一点鎖線Ｍで示す１区画分のベース１が図示しないカッタにて切断され、製品となる。
【手続補正３】
【補正対象書類名】明細書
【補正対象項目名】００４９
【補正方法】変更
【補正の内容】
【００４９】
さらにまた、ベース１の下端部にヘア材３が直線状に形成されるため、ベース１が上瞼２０に貼着されると突弧状の上瞼２０に沿って突弧状になるため、個々分離状態で貼着されている各ヘア材３が放射状に拡開される。このためまつ毛（実は「つけまつ毛」）のラインが濃く見え、目元がぱっちり大きく見えるのである。